(57)【要約】      （修正有）【課題】災害などの停電時に経済的かつ高効率で駆動し得る自立型浄化槽を提供する。【解決手段】自然エネルギーを利用して発電する発電装置と、当該発電電力で充電される蓄電池と、蓄電池に接続された曝気ブロワ５を備えた浄化槽１０とからなり、当該浄化槽１０は、汚水が流入する側から順にスクリーン１１、流量調整槽１２、微細目スクリーン１３、担体反応槽１４、担体濾過槽１５及び消毒槽１６を備えると共に、微細目スクリーン１３で濾過された屎渣と、担体濾過槽１５で濾過された汚泥とを貯留する汚泥濃縮貯留槽１７を備え、当該汚泥濃縮貯留槽１７を流量調整槽１２と接続することで、当該汚泥濃縮貯留槽１７の離脱液を流量調整槽１２へ返送して循環させる。【選択図】図１
0003218352.tif 000002
【実用新案登録請求の範囲】
【請求項１】
自然エネルギーを利用して発電する発電装置と、当該発電電力で充電される蓄電池と、直流で駆動する曝気ブロワを備えた浄化槽とからなり、当該浄化槽は、汚水が流入する側から順にスクリーン、流量調製槽、微細目スクリーン、担体反応槽、担体濾過槽及び消毒槽を備えると共に、前記微細目スクリーン濾過された屎渣と、前記担体濾過槽で濾過された汚泥とを貯留する汚泥濃縮貯留槽を備え、当該汚泥濃縮貯留槽の離脱液を前記流量調整槽へ返送して循環させることを特徴とする自立型浄化槽。
【請求項２】
発電装置が風力直流発電機又は太陽光発電機であることを特徴とする請求項１記載の自立型浄化槽。
【考案の詳細な説明】
【技術分野】
【０００１】  本考案は、トイレ等から排出される汚水を生物処理する浄化槽、とくに、可搬式の仮設トイレ等に好適に使用される自立型浄化槽に関するものである。
【背景技術】
【０００２】  従来、浄化槽の送気用ブロワは交流の商用電源によるモーターにより駆動されている。一般に屋外の公園、山間地域の野外施設や仮説施設に附設されたトイレは汲み取り式のもが多い。また、災害時に仮設されるトイレもほとんどが同じ仕様である。【０００３】  これは、屋外に商用電源がほとんどないためであり、とくに山間地域において照明やモーターを駆動させる場合には、ディーゼルエンジン又はガソリンエンジンを用いた交流発電機が使用されている。【０００４】  例えば、特許文献１には、水洗トイレ及び手洗い器等から排出される汚水を生物処理により浄化する浄化設備及び自家発電設備を備えた可搬式の合併処理浄化槽付き仮説ハウスが開示されている。また、糞尿を水洗水とともに生物化学的に処理する浄化槽、この浄化槽において生物化学的処理を行った後の処理水から、リン化合物を固形物に補足する脱リン手段と、前記固形物を含む固形物を分離する固液分離手段、固形物分離後の処理水から塩類を除去する塩類除去手段、塩類を除去した後の処理水を水洗水として循環する循環手段を有する自己完結型水洗トイレが提案されている（特許文献２参照）。【０００５】  他にも、便器の下方に配設され被処理水を導入する受水槽と、被処理水を浄化処理する浄化槽と、被処理水を送水管を介して便器に向けて送水する送水槽とからなる循環水路と、便器の使用若しくは非使用に関わらず、常時、被処理水を循環送水させる電動の負荷機器と、負荷機器に電源を供給する太陽電池パネルを備えた発電ユニットが構成され、使用頻度に関わらず電源を過不足なく安定供給できる循環式水洗トイレユニットが提案されている（特許文献３参照。）、同様に、特許文献４にも浄化槽、中水槽などを備え、便器から排出された屎尿を浄化処理し再循環して使用する循環式水洗トイレが開示されている。
【先行技術文献】
【特許文献】
【０００６】
【特許文献１】特開２００３−６４８９４号公報
【特許文献２】特開２０００−２０４６２９号公報
【特許文献３】特開２０１０−２４８７２９号公報
【特許文献４】特開２０１３−４７４２０号公報
【０００７】
【考案の概要】
【考案が解決しようとする課題】
【０００８】  しかしながら、上述したような循環式水洗トイレを山間部や離島などの過疎地に設置する場合に、送電設備の設置についてはコストが嵩むという問題が生じ、また、蓄電池を使用する場合、蓄電された直流電流を交流電流に変換するＤＣ／ＡＣインバータを要し、これもコストアップ並びに電力ロスの問題が生じる。本考案は、上記の問題点に鑑み、経済的かつ高効率で駆動し得る自立型浄化槽を提供することを目的とする。
【問題を解決するための手段】
【０００９】  そこで、本考案の自立型浄化槽は、自然エネルギーを利用して発電する発電装置と、当該発電電力で充電される蓄電池と、直流で駆動する曝気ブロワを備えた浄化槽とからなり、当該浄化槽は、汚水が流入する側から順にスクリーン、流量調製槽、微細目スクリーン、担体反応槽、担体濾過槽及び消毒槽を備えると共に、前記微細目スクリーン濾過された屎渣と、前記担体濾過槽で濾過された汚泥とを貯留する汚泥濃縮貯留槽を備え、当該汚泥濃縮貯留槽の離脱液を前記流量調整槽へ返送して循環させることを第１の特徴とする。また、発電装置が風力直流発電機又は太陽光発電機であることを第２の特徴とする。
【考案の効果】
【００１０】  本考案によれば、経済的かつ高効率に稼働する自立型浄化槽が得られ、過疎地や災害時の仮設トイレ等に好適に用いることができる。
【図面の簡単な説明】
【００１１】
【図１】本考案に係る浄化槽のブロック図である。
【図２】本考案に係る浄化槽の電気系統図である。
【考案を実施するための形態】
【００１２】  以下、本考案に係る好適な実施形態を図面に示す実施例を参照しながら説明する。
【実施例】
【００１３】  図１に示すように、本実施例における自立型浄化槽１０（以下、単に浄化槽１０という）は、被処理水である汚水（屎尿）を、循環水路を循環移送することで浄化処理するものである。浄化槽１０は、浄化槽１０の可動時間帯においては、汚水を常時循環することで浄化処理するいわゆる自立型である。尚、本考案でいう汚水とは、後述する浄化処理する前の水、浄化処理中の水、浄化処理した水を全て指すものとする。【００１４】  浄化槽１０の装置構成を概ね説明すると、汚水が流入する側から順にスクリーン１１、流量調製槽１２、微細目スクリーン１３、担体反応槽１４、担体濾過槽１５及び消毒槽１６を備えると共に、微細目スクリーン１３で濾過された屎渣と、担体濾過槽１５で濾過された汚泥とを貯留する汚泥濃縮貯留槽１７を備え、汚泥濃縮貯留槽１７の離脱液を流量調整槽１２へ返送して循環させるようにされている。
１５  担体濾過槽
１６  消毒槽
１７  汚泥濃縮貯留槽【００１５】  そして、スクリーン１１、流量調製槽１２、担体反応槽１４及び担体濾過槽１５にはブロワ５から空気が送気されて曝気する。ここで、ブロワ５は直流電源で駆動する方式のものを使用するが、汚水の流出及び循環には動力は使用しない。すなわち、ブロア５からの空気流に伴ういわゆるエアリフト効果で、汚水を連続的に送水することができる。【００１６】  汚泥濃縮貯留槽１７に貯留した濃縮汚泥は一年に数回程度、バキュームカーを用いて搬出する。すなわち、浄化槽１０の担体反応槽１４及び担体濾過槽１５において担持した好気性微生物を曝気して増殖させ有機物を分解し、汚水を浄化した微生物の塊は汚泥として沈殿分離して汚泥濃縮貯留槽１７に貯留し、上澄み水は消毒槽１６にて塩素剤で消毒して衛生上安全な水として放流するようにされている。尚、本考案においては嫌気濾床接触曝気方式の浄化槽を附設して合併処理槽としてもよい。【００１７】  次に、浄化槽１０の電気系統について説明すると、図２に示すように、自然エネルギーを利用して発電する発電装置として、風力直流発電機１及び太陽光発電機２を使用し、その発電電力を蓄電池３に充電して使用する。すなわち、風力発電機１及び太陽光発電機２で発電された直流電流は、蓄電池３から浄化槽制御盤４を介してブロワ５に配線して送電されると共に、照度スイッチ６を介して外部照明灯７に配線送電され、さらに人感スイッチ８を介して及び室内灯９に配線送電される。尚、これらの機器は直流電流で稼働する仕様のもの、例えば照明にはＬＥＤ等を用い、蓄電池３に蓄電された直流電流を、ＤＣ／ＡＣインバータにより交流電流に変換することなく供給される。
【産業上の利用可能性】
【００１８】  本考案は、災害などで商用電源が停電した場合でも稼働可能なので、可搬式の仮設トイレ等に附設して有用である。
【符号の説明】
【００１９】１    風力直流発電機
２    太陽光発電機
３    蓄電池
４    浄化槽制御盤
５    ブロワ
６    照度スイッチ
７    外部照明灯
８    人感スイッチ
９    室内灯
１０  浄化槽
１１  スクリーン
１２  流量調整槽
１３  微細目スクリーン
１４  担体反応槽
【図１】
0003218352.tif 000003
【図２】
0003218352.tif 000004
【手続補正書】
【提出日】平成30年7月12日(2018.7.12)
【手続補正１】
【補正対象書類名】実用新案登録請求の範囲
【補正対象項目名】全文
【補正方法】変更
【補正の内容】
【実用新案登録請求の範囲】
【請求項１】
自然エネルギーを利用して発電する発電装置と、当該発電電力で充電される蓄電池と、蓄電池に接続された曝気ブロワを備えた浄化槽とからなり、当該浄化槽は、汚水が流入する側から順にスクリーン、流量調整槽、微細目スクリーン、担体反応槽、担体濾過槽及び消毒槽を備えると共に、前記微細目スクリーン濾過された屎渣と、前記担体濾過槽で濾過された汚泥とを貯留する汚泥濃縮貯留槽を備え、当該汚泥濃縮貯留槽を前記流量調整槽と接続することで、当該汚泥濃縮貯留槽の離脱液を前記流量調整槽へ返送して循環させることを特徴とする自立型浄化槽。
【請求項２】
発電装置が風力直流発電機又は太陽光発電機であることを特徴とする請求項１記載の自立型浄化槽。
【手続補正２】
【補正対象書類名】明細書
【補正対象項目名】０００９
【補正方法】変更
【補正の内容】
【０００９】  そこで、本考案の自立型浄化槽は、自然エネルギーを利用して発電する発電装置と、当該発電電力で充電される蓄電池と、蓄電池に接続された曝気ブロワを備えた浄化槽とからなり、当該浄化槽は、汚水が流入する側から順にスクリーン、流量調整槽、微細目スクリーン、担体反応槽、担体濾過槽及び消毒槽を備えると共に、前記微細目スクリーン濾過された屎渣と、前記担体濾過槽で濾過された汚泥とを貯留する汚泥濃縮貯留槽を備え、当該汚泥濃縮貯留槽を前記流量調整槽と接続することで、当該汚泥濃縮貯留槽の離脱液を前記流量調整槽へ返送して循環させることを第１の特徴とする。また、発電装置が風力直流発電機又は太陽光発電機であることを第２の特徴とする。